(57)【要約】      （修正有）【課題】低コストで気功師が出す外気を発生し、感じることができる外気発生装置を提供する。【解決手段】台座１６の中央付近の上部に設けた手置き部１４と、台座上の手置き部の片側に設置される針金で骨格を作成した星型八面体４−１、４−２と、手置き部のもう一方の片側に設置される針金製の星型八面体４−３と回転機構部１３を有し、星型八面体４−１、４−２は回転機構部に取り付けられた回転台搭載治具５の上に回転軸をはさんで１つずつ搭載されている。【選択図】図１
0003212868.tif 000002
【実用新案登録請求の範囲】
【請求項１】
台座の中央付近の上部に設けられた手置き部と、前記台座上の前記手置き部の片側に設置される針金で骨格を作成された星型八面体と、前記手置き部のもう一方の片側に設置される前記針金製の星型八面体と回転機構部からなり、一方の星型八面体は回転機構部の上に搭載される外気発生装置
【請求項２】
回転機構部は手置き部の左側に配置され、前記回転機構部の回転軸をまたいで針金で骨格を形成した星型八面体が１つずつ搭載され、手置き部の右側には１つの前記針金製の星型八面体が固定された［請求項１］記載の外気発生装置
【考案の詳細な説明】
【技術分野】
【０００１】
本発明は気功師が出す外気の感覚を得る装置に関する
【背景技術】
【０００２】
気功などでいう外気（または単に気）に興味を持ち、外気を感じるために気功教室にてお試しで受講する人が多い。しかし気功師を訪れるハードルは高いと憶測され、人工的な外気発生装置の需要が見込める。従来の外気発生装置としてはクリスタルセブンや80kHz水晶発振システムなどの報告がある（例えば非特許文献１、非特許文献２）。
【先行技術文献】
【非特許文献】
【０００３】
【非特許文献１】佐々木茂美、山田孝男、エネルギー源としてのクリスタルセブンに関する実験研究、サイ科学学会誌、13(1)、pp.1-9、1990
【非特許文献２】青木孝志、80kHz水晶共振システムが発生する波動の生体作用の特異例、人体科学、4-(1)、pp.11-31、1995
【考案の概要】
【考案が解決しようとする課題】
【０００４】
クリスタルセブンや80kHz水晶発振システムは、目的が外気を感じることではなく冥想効果や病気治療である。また、高価な水晶などの部品を用いており、価格的にも一般の人が簡単に入手できるものではなかった。
【０００５】
本発明は従来の構成が有していた課題を解決しようとするものであり、低コストの装置でも外気を感じることを目的とするものである。
【課題を解決するための手段】
【０００６】
本発明は上記を解決するために、台座の中央付近の上部に設けた手置き部と、前記台座上の前記手置き部の片側に設置される針金で骨格を作成した星型八面体と、前記手置き部のもう一方の片側に設置される前記針金製の星型八面体と回転機構部を有し、一方の星型八面体は回転機構部の上に搭載したものである。
【０００７】
また、第２の課題解決手段は回転機構部を手置き部の左側に配置し、回転機構部の回転軸をまたいで針金で骨格を形成した星型八面体を１つずつ搭載し、手置き部の右側には１つの前記針金製の星型八面体を固定したものである。
【０００８】
上記第１の課題解決手段による作用は次の通りである。すなわち、形状に外気を発する特性がある星型八面体を低コストの針金で作成する。手置き部の両側に星型八面体を配置することにより外気を増幅させる。片側の星型八面体を回転させることにより外気の流路を変化させさらに外気を感じやすくする。
【０００９】
上記第２の課題解決手段による作用は左側の星型八面体を増やしたことにより、第１の課題解決手段より強い外気を感じられることである。
【考案の効果】
【００１０】
上述したように本発明の外気発生装置では低コストでも外気を感じることができる。
【図面の簡単な説明】
【００１１】
【図１】この考案の構成を示す模式図である
【図２】星型八面体の形状や作成の方法を示す模式図である
【図３】左側外気発生部を示す模式図である
【図４】回転機構部を示す模式図である
【図５】左側外気発生部と回転機構部の組み立てを示す模式図である
【図６】実施例１の動作を示す模式図である
【図７】実施例２の動作を示す模式図である
【考案を実施するための形態】
【００１２】
本考案の形態は、図１のように台座１６、左側外気発生部１０、右側外気発生部１７、回転機構部１３からなる。
【００１３】
星型八面体４−1、４−２、４−３は、２つの正四面体を逆向きに組み合わせたもので図２の１−１〜１２に示す針金を用いて作成する。針金に使用する金属はアルミニウムや銅、鉄のいずれであっても良い。また、２−１〜８は星型八面体の頂点、３−１〜６は針金同志の交点であり接着剤などで固定する。
【００１４】
図３は左側外気発生部の模式図である。ここでは第２の課題解決手段で述べた星型八面体が２つ搭載された構成を示している。回転台搭載治具５の上に回転軸６をまたいで星型八面体４−１、４−２が搭載され接着剤などで固定される。第１の課題解決手段で示す星型八面体１つの構成の場合は図３から星型八面体４−２を除くことにより実現される。
【００１５】
回転機構部１３は図４のように、回転台７と回転モータとギアなどからなる電動機構部８、電源スイッチ９からなり、回転速度１〜３回転／分程度の市販のフィギュア展示用の電池式回転台などで実現できる。
【００１６】
図５に左側外気発生部１０と回転機構部１３の組み立て図を示す。左側外気発生部１０を、台座１６の上蓋１１に空けた回転軸の穴１２を通して、回転台搭載治具５と回転台７を接着して固定する。
【００１７】
右側外気発生部１７は図１に示すように針金製の星型八面体４−３が台座１６の上面に接着固定されている。
【００１８】
台座１６は直方体の木製またはプラスティック製の箱で実現でき、外気を感じるための手置き部１４や[００１６]で述べた回転軸の穴１２や電源スイッチ９を台座１６の外側に通す穴１８が設けられている。
【実施例】
【００１９】
以下、外気発生装置の動作について図面を参照して説明する。
【００２０】
図６は第１の課題解決手段の実施例の模式図である。手１５を手置き部１４に手のひらや甲が上蓋１１に垂直になるように置き、電源スイッチ９を押すと、回転機構部１３の回転台７とともに左側外気発生部１０が回転を開始する。左側外気発生部１０の星型八面体４−１と右側外気発生部１７の星型八面体４−３との間に外気の流れが大きくなるとともに、回転で星型八面体４−１の位置が変わることにより、外気の流路が変わるため手のひらや甲、または双方に圧力感、熱感などを得ることができる。
【００２１】
図７は第２の課題解決手段の実施例の模式図である。手１５を手置き部１４に手のひらや甲が上蓋１１に垂直になるように置き、電源スイッチ９を押すと、回転機構部１３の回転台７とともに左側外気発生部１０が回転を開始する。左側外気発生部１０の星型八面体４−１、４−２と右側外気発生部１７の星型八面体４−３との間に外気の流れが大きくなるとともに、回転で星型八面体４−１、４−２の位置が変わることにより、外気の流路が変わるため手のひらや甲、または双方に圧力感、熱感などを得ることができる。[００１７]で述べた第１の課題解決手段に比べて、左側外気発生部の星型八面体４−２が加わることにより、外気の流れがさらに大きくなるという効果がある。
【産業上の利用可能性】
【００２２】
外気を感ずる玩具または外気の研究用として利用可能
【符号の説明】
【００２３】
１−１、１−２、１−３、１−４、１−５、１−６、１−７、１−８、１−９、１−１０、１−１１、１−１２  針金
２−１、２−２、２−３、２−４、２−５、２−６、２−７、２−８  星型八面体の頂点
３−１、３−２、３−３、３−４、３−５、３−６  針金の交点
４−１、４−２、４−３  針金で作成された星型八面体
５  回転台搭載治具
６  回転軸
７  回転台
８  電動機構部
９  電源スイッチ部
１０  左側外気発生部
１１  上蓋
１２  回転軸の穴
１３  回転機構部
１４  手置き部
１５  手の模式図
１６  台座
１７  右側外気発生部
１８  電源スイッチの穴
【図１】
0003212868.tif 000003
【図２】
0003212868.tif 000004
【図３】
0003212868.tif 000005
【図４】
0003212868.tif 000006
【図５】
0003212868.tif 000007
【図６】
0003212868.tif 000008
【図７】
0003212868.tif 000009